(57)【要約】
【課題】　クイック自動コードサーチ及び定時自動発射機能を具えた多機能リモートコントローラーに関するものである。
【解決手段】　制御回路にＣＰＵが設けられ、該ＣＰＵにマルチメモリ装置が設けられて全ての電気製品及び各メーカーに対応する周波数を記録でき、特に、メーカー名のＡ〜Ｚの２６個の頭文字を数字キーに割り当て、異なる有効組合せコード表を構築して広範な使用ができるようにし、ＣＰＵ内にメインメモリと第２メモリを設け、全てのメーカーの各種製品のサーチアドレス及びコード、及び全てのメーカーを２６個の英文字で代表させたアドレスフラグを記録し、これにより大量のデータを分類して個別に保存し、サーチの速度を大幅に増加し、操作時間を短縮してクイックサーチの機能を達成し、また時間設定装置により時間設定を行ない、定時に設定した電気製品のオンとオフの動作を自動発射により制御する。
【選択図】　　　　図１
0003100479.tif 000002
【実用新案登録請求の範囲】
【請求項１】
　クイック自動コードサーチ及び定時自動発射機能を具えた多機能リモートコントローラーにおいて、
　複数のメーカーの各種製品のサーチアドレス及びコードを記録したメインメモリと、該複数のメーカーを２６個の英文字を利用して代表させたアドレスフラグを記録する第２メモリとを具えたＣＰＵと、
　メーカーの製品が具備するキー機能を記録すると共に各キーに対応する機能のデータを提供してロックできるようにするプログラム表メモリと、
　中断されロックされるまで続けて累計サーチを行なうと共に、累計時間が予約終了時間に至ると電源信号を発射するよう設定できる計時計数及び時間設定装置と、
　ロック待機間隔を特定の時間内に制御できる時間間隔制御レジスタと、
　周波数が符合する時にサーチ動作を中断すると共にロックするサーチ中断制御装置と、　変調周波数サーチ信号を発射する信号発射出力装置と、
　を具え、ＣＰＵ内に設けられたメインメモリと第２メモリが、複数のメーカーの各種製品のサーチアドレス及びコードを記録したメインメモリと、該複数のメーカーを２６個の英文字を利用して代表させたアドレスフラグを記録することにより、大量のデータを分類して個別に保存でき、サーチの速度を大幅に増加して操作時間を短縮できることを特徴とする、クイック自動コードサーチ及び定時自動発射機能を具えた多機能リモートコントローラー。
【請求項２】
　前記ＣＰＵ内に、少なくとも二つの記憶部に分割された第２メモリが設けられたことを特徴とする、請求項１記載のクイック自動コードサーチ及び定時自動発射機能を具えた多機能リモートコントローラー。
【請求項３】
　コントロールパネル上の指示ランプの点滅を制御する指示ランプ駆動回路と、電源を発生してＣＰＵが必要とする電圧値を提供し、ＣＰＵ内の電源発生回路にＣＰＵが必要とする作業電圧を発生させる電源発生器と、を具えたことを特徴とする、請求項１記載のクイック自動コードサーチ及び定時自動発射機能を具えた多機能リモートコントローラー。
【請求項４】
　ＣＰＵに時間計数の機能を提供する振動発生器を具えたことを特徴とする、請求項１記載のクイック自動コードサーチ及び定時自動発射機能を具えた多機能リモートコントローラー。
【請求項５】
　メーカーの製品にもともと設定されているコードに対応するキー機能を記録し、電源が設定値より低いか或いは電源が切断された後に更に電力供給状態に回復する時、もとのメーカーが設定したコード機能及びもとのメーカーの製品に対応するキー機能を保持するＥＥＰＲＯＭを具えたことを特徴とする、請求項１記載のクイック自動コードサーチ及び定時自動発射機能を具えた多機能リモートコントローラー。
【請求項６】
　時間表示と時間設定の機能を提供し、グローバルメーカー順序機能選択の多重切り換えによりリモートコントローラーの機能を拡充する機能を提供する切り換え装置を具えたことを特徴とする、請求項１記載のクイック自動コードサーチ及び定時自動発射機能を具えた多機能リモートコントローラー。
【請求項７】
　数字とリモートコントローラーの作業状況を表示できる液晶ディスプレイを具え、製品類別キーの選択により計算符号が出現する時に、リモートコントローラーの全てのキーが計算器の機能キーとして使用されることを特徴とする、請求項１記載のクイック自動コードサーチ及び定時自動発射機能を具えた多機能リモートコントローラー。
【請求項８】
　ＣＰＵ内のメインメモリが少なくとも二つの第２メモリに分割されて複数のメーカーを２６個の英文字を利用して代表させたメーカーアドレスフラグが第２メモリに記録されることを特徴とする、請求項１記載のクイック自動コードサーチ及び定時自動発射機能を具えた多機能リモートコントローラー。
【請求項９】
　ＣＰＵ内のプログラム表メモリが少なくとも二つの第２メモリに分割されて複数のメーカーを２６個の英文字を利用して代表させたメーカーアドレスフラグが第２メモリに記録されることを特徴とする、請求項１記載のクイック自動コードサーチ及び定時自動発射機能を具えた多機能リモートコントローラー。
【請求項１０】
　クイック自動コードサーチ及び定時自動発射機能を具えた多機能リモートコントローラーにおいて、
　複数のメーカーの各種製品のサーチアドレス及びコードを記録したメインメモリを具えたＣＰＵと、
　ＣＰＵ外の同一基板に設けられてＣＰＵと接続され、複数のメーカーを２６個の英文字を利用して代表させた複数のアドレスフラグを記録する第２メモリと、
　メーカーの製品が具備するキー機能を記録すると共に、各キーに対応する機能のデータを提供してロックできるプログラム表メモリと、
　中断されロックされるまで続けて累計サーチを行なうと共に、累計時間が予約終了時間に至ると電源信号を発射するよう設定できる計時計数及び時間設定装置と、
　ロック待機間隔を特定の時間内に制御できる時間間隔制御レジスタと、
　周波数が符合する時にサーチ動作を中断すると共にロックするサーチ中断制御装置と、　変調周波数サーチ信号を発射する信号発射出力装置と、
　を具え、ＣＰＵ内に設けられたメインメモリとＣＰＵの外部に設けられた第２メモリが、複数のメーカーの各種製品のサーチアドレス及びコードを記録したメインメモリと、該複数のメーカーを２６個の英文字を利用して代表させたアドレスフラグを記録することにより、大量のデータを分類して個別に保存でき、サーチの速度を大幅に増加して操作時間を短縮できることを特徴とする、クイック自動コードサーチ及び定時自動発射機能を具えた多機能リモートコントローラー。
【請求項１１】
　コントロールパネル上の指示ランプの点滅を制御する指示ランプ駆動回路と、電源を発生してＣＰＵが必要とする電圧値を提供し、ＣＰＵ内の電源発生回路にＣＰＵが必要とする作業電圧を発生させる電源発生器と、を具えたことを特徴とする、請求項１０記載のクイック自動コードサーチ及び定時自動発射機能を具えた多機能リモートコントローラー。
【請求項１２】
　ＣＰＵに時間計数の機能を提供する振動発生器を具えたことを特徴とする、請求項１０記載のクイック自動コードサーチ及び定時自動発射機能を具えた多機能リモートコントローラー。
【請求項１３】
　メーカーの製品にもともと設定されているコードに対応するキー機能を記録し、電源が設定値より低いか或いは電源が切断された後に更に電力供給状態に回復する時、もとのメーカーが設定したコード機能及びもとのメーカーの製品に対応するキー機能を保持するＥＥＰＲＯＭを具えたことを特徴とする、請求項１０記載のクイック自動コードサーチ及び定時自動発射機能を具えた多機能リモートコントローラー。
【請求項１４】
　数字とリモートコントローラーの作業状況を表示できる液晶ディスプレイを具え、製品類別キーの選択により計算符号が出現する時に、リモートコントローラーの全てのキーが計算器の機能キーとして使用されることを特徴とする、請求項１０記載のクイック自動コードサーチ及び定時自動発射機能を具えた多機能リモートコントローラー。
【請求項１５】
　ＣＰＵ外の同一基板に設けられてそのピンが該ＣＰＵに接続され、少なくとも二つの記憶部に分割された第２メモリを具えたことを特徴とする、請求項１０記載のクイック自動コードサーチ及び定時自動発射機能を具えた多機能リモートコントローラー。
【請求項１６】
　ＣＰＵ内のメインメモリが少なくとも二つの第２メモリに分割されて複数のメーカーを２６個の英文字を利用して代表させたメーカーアドレスフラグが第２メモリに記録されることを特徴とする、請求項１０記載のクイック自動コードサーチ及び定時自動発射機能を具えた多機能リモートコントローラー。
【考案の詳細な説明】
【技術分野】
【０００１】
　本考案は一種のクイック自動コードサーチ及び定時自動発射機能を具えた多機能リモートコントローラーに関するものである。それは、制御回路にＣＰＵが設けられ、該ＣＰＵ内のマルチメモリ装置で全ての電気製品及び各メーカーに対応する周波数を記録し、メーカー名のＡ〜Ｚの２６個の頭文字を数字キーに割り当て、異なる有効組合せコード表を構築して広範な使用ができるようにし、ＣＰＵ内にメインメモリと第２メモリを設け、全てのメーカーの各種製品のサーチアドレス及びコード、及び全てのメーカーを２６個の英文字で代表させたアドレスフラグを記録し、これにより大量のデータを分類して個別に保存し、サーチの速度を大幅に増加し、操作時間を短縮してクイックサーチの機能を達成し、また時間設定装置により時間設定を行ない、定時に設定した電気製品のオンとオフの動作を自動発射により制御する。
【背景技術】
【０００２】
　各メーカーの生産する電気製品は、それぞれの使用に符合するリモートコントローラーを具えている。しかし、このリモートコントローラーが損壊或いは紛失した時は、メーカーに代替品を要求しなければならず、面倒で不便である。この状況に対して、本件考案者はすでに特許文献１に記載の技術を提供し、市販されているリモートコントローラーの欠点を改善している。
【０００３】
【特許文献１】日本国実用新案登録第３０５７９０５号明細書
【考案の開示】
【考案が解決しようとする課題】
【０００４】
　上記特許文献１のリモートコントローラーは操作が快速に行なえ且つ全自動サーチ機能を具備しているが、電子産業が急速に発展し、各メーカーが続々と新製品を販売する状況にあって、新製品のコードが増加し、周波数の自動サーチ時間が長くかかるようになる。このため使用上、不便な問題が形成される。例えば、世界には５０以上の家電メーカーがあり、１９９０年から現在までに、それぞれが３０以上の商品を提供しているが、同じコードを計算に入れないとして、これらが例えば５０×２０＝１０００以上のコードを使用しているとする。この場合、０００．．．９９９のコードに対して自動コードサーチと発射には毎回１．４秒＋インターバル０．４秒の計１．８秒かかり、１００種類にかかるサーチ時間は約３分４０秒である。５００から９００種類のサーチには更に時間がかかる。本考案はこの特許文献１の問題に対して、より快速で且つ使用に便利なリモートコントローラーを提供するものである。
【課題を解決するための手段】
【０００５】
　請求項１の考案は、クイック自動コードサーチ及び定時自動発射機能を具えた多機能リモートコントローラーにおいて、
　複数のメーカーの各種製品のサーチアドレス及びコードを記録したメインメモリと、該複数のメーカーを２６個の英文字を利用して代表させたアドレスフラグを記録する第２メモリとを具えたＣＰＵと、
　メーカーの製品が具備するキー機能を記録すると共に各キーに対応する機能のデータを提供してロックできるようにするプログラム表メモリと、
　中断されロックされるまで続けて累計サーチを行なうと共に、累計時間が予約終了時間に至ると電源信号を発射するよう設定できる計時計数及び時間設定装置と、
　ロック待機間隔を特定の時間内に制御できる時間間隔制御レジスタと、
　周波数が符合する時にサーチ動作を中断すると共にロックするサーチ中断制御装置と、　変調周波数サーチ信号を発射する信号発射出力装置と、
　を具え、ＣＰＵ内に設けられたメインメモリと第２メモリが、複数のメーカーの各種製品のサーチアドレス及びコードを記録したメインメモリと、該複数のメーカーを２６個の英文字を利用して代表させたアドレスフラグを記録することにより、大量のデータを分類して個別に保存でき、サーチの速度を大幅に増加して操作時間を短縮できることを特徴とする、クイック自動コードサーチ及び定時自動発射機能を具えた多機能リモートコントローラーとしている。
　請求項２の考案は、前記ＣＰＵ内に、少なくとも二つの記憶部に分割された第２メモリが設けられたことを特徴とする、請求項１記載のクイック自動コードサーチ及び定時自動発射機能を具えた多機能リモートコントローラーとしている。
　請求項３の考案は、コントロールパネル上の指示ランプの点滅を制御する指示ランプ駆動回路と、電源を発生してＣＰＵが必要とする電圧値を提供し、ＣＰＵ内の電源発生回路にＣＰＵが必要とする作業電圧を発生させる電源発生器と、を具えたことを特徴とする、請求項１記載のクイック自動コードサーチ及び定時自動発射機能を具えた多機能リモートコントローラーとしている。
　請求項４の考案は、ＣＰＵに時間計数の機能を提供する振動発生器を具えたことを特徴とする、請求項１記載のクイック自動コードサーチ及び定時自動発射機能を具えた多機能リモートコントローラーとしている。
　請求項５の考案は、メーカーの製品にもともと設定されているコードに対応するキー機能を記録し、電源が設定値より低いか或いは電源が切断された後に更に電力供給状態に回復する時、もとのメーカーが設定したコード機能及びもとのメーカーの製品に対応するキー機能を保持するＥＥＰＲＯＭを具えたことを特徴とする、請求項１記載のクイック自動コードサーチ及び定時自動発射機能を具えた多機能リモートコントローラーとしている。
　請求項６の考案は、時間表示と時間設定の機能を提供し、グローバルメーカー順序機能選択の多重切り換えによりリモートコントローラーの機能を拡充する機能を提供する切り換え装置を具えたことを特徴とする、請求項１記載のクイック自動コードサーチ及び定時自動発射機能を具えた多機能リモートコントローラーとしている。
　請求項７の考案は、数字とリモートコントローラーの作業状況を表示できる液晶ディスプレイを具え、製品類別キーの選択により計算符号が出現する時に、リモートコントローラーの全てのキーが計算器の機能キーとして使用されることを特徴とする、請求項１記載のクイック自動コードサーチ及び定時自動発射機能を具えた多機能リモートコントローラーとしている。
　請求項８の考案は、ＣＰＵ内のメインメモリが少なくとも二つの第２メモリに分割されて複数のメーカーを２６個の英文字を利用して代表させたメーカーアドレスフラグが第２メモリに記録されることを特徴とする、請求項１記載のクイック自動コードサーチ及び定時自動発射機能を具えた多機能リモートコントローラーとしている。
　請求項９の考案は、ＣＰＵ内のプログラム表メモリが少なくとも二つの第２メモリに分割されて複数のメーカーを２６個の英文字を利用して代表させたメーカーアドレスフラグが第２メモリに記録されることを特徴とする、請求項１記載のクイック自動コードサーチ及び定時自動発射機能を具えた多機能リモートコントローラーとしている。
　請求項１０の考案は、クイック自動コードサーチ及び定時自動発射機能を具えた多機能リモートコントローラーにおいて、
　複数のメーカーの各種製品のサーチアドレス及びコードを記録したメインメモリを具えたＣＰＵと、
　ＣＰＵ外の同一基板に設けられてＣＰＵと接続され、複数のメーカーを２６個の英文字を利用して代表させた複数のアドレスフラグを記録する第２メモリと、
　メーカーの製品が具備するキー機能を記録すると共に、各キーに対応する機能のデータを提供してロックできるプログラム表メモリと、
　中断されロックされるまで続けて累計サーチを行なうと共に、累計時間が予約終了時間に至ると電源信号を発射するよう設定できる計時計数及び時間設定装置と、
　ロック待機間隔を特定の時間内に制御できる時間間隔制御レジスタと、
　周波数が符合する時にサーチ動作を中断すると共にロックするサーチ中断制御装置と、　変調周波数サーチ信号を発射する信号発射出力装置と、
　を具え、ＣＰＵ内に設けられたメインメモリとＣＰＵの外部に設けられた第２メモリが、複数のメーカーの各種製品のサーチアドレス及びコードを記録したメインメモリと、該複数のメーカーを２６個の英文字を利用して代表させたアドレスフラグを記録することにより、大量のデータを分類して個別に保存でき、サーチの速度を大幅に増加して操作時間を短縮できることを特徴とする、クイック自動コードサーチ及び定時自動発射機能を具えた多機能リモートコントローラーとしている。
　請求項１１の考案は、コントロールパネル上の指示ランプの点滅を制御する指示ランプ駆動回路と、電源を発生してＣＰＵが必要とする電圧値を提供し、ＣＰＵ内の電源発生回路にＣＰＵが必要とする作業電圧を発生させる電源発生器と、を具えたことを特徴とする、請求項１０記載のクイック自動コードサーチ及び定時自動発射機能を具えた多機能リモートコントローラーとしている。
　請求項１２の考案は、ＣＰＵに時間計数の機能を提供する振動発生器を具えたことを特徴とする、請求項１０記載のクイック自動コードサーチ及び定時自動発射機能を具えた多機能リモートコントローラーとしている。
　請求項１３の考案は、メーカーの製品にもともと設定されているコードに対応するキー機能を記録し、電源が設定値より低いか或いは電源が切断された後に更に電力供給状態に回復する時、もとのメーカーが設定したコード機能及びもとのメーカーの製品に対応するキー機能を保持するＥＥＰＲＯＭを具えたことを特徴とする、請求項１０記載のクイック自動コードサーチ及び定時自動発射機能を具えた多機能リモートコントローラーとしている。
　請求項１４の考案は、数字とリモートコントローラーの作業状況を表示できる液晶ディスプレイを具え、製品類別キーの選択により計算符号が出現する時に、リモートコントローラーの全てのキーが計算器の機能キーとして使用されることを特徴とする、請求項１０記載のクイック自動コードサーチ及び定時自動発射機能を具えた多機能リモートコントローラーとしている。
　請求項１５の考案は、ＣＰＵ外の同一基板に設けられてそのピンが該ＣＰＵに接続され、少なくとも二つの記憶部に分割された第２メモリを具えたことを特徴とする、請求項１０記載のクイック自動コードサーチ及び定時自動発射機能を具えた多機能リモートコントローラーとしている。
　請求項１６の考案は、ＣＰＵ内のメインメモリが少なくとも二つの第２メモリに分割されて複数のメーカーを２６個の英文字を利用して代表させたメーカーアドレスフラグが第２メモリに記録されることを特徴とする、請求項１０記載のクイック自動コードサーチ及び定時自動発射機能を具えた多機能リモートコントローラーとしている。
【考案の効果】
【０００６】
　本考案は以下のような優れた点を有している。
　１．本考案はＣＰＵ内に複数のメーカーの複数の製品のサーチアドレス及びコードを記録できるメインメモリと、メーカーをＡ〜Ｚの２６個の英文字で代表させたアドレスフラグと、Ａ〜Ｚの２６個の英文字で代表されるメーカーが構築したコード表を記録する第２メモリを設け、且つリモートコントローラー上の０〜１２の数字キー及びＣＨ＋，ＣＨ−，ＶＯＬ＋，ＶＯＬ−キーを組み合わせて使用し（更に多くのキーの組合せ使用も可能である）、Ａ〜Ｚを数字キーに割り当てる（例えば、Ａを数字の１のキーに割り当て、ＨＩＴＣＨＩというメーカー名のＨは数字の８のキーに割り当て、他もこれにより類推されるとおりとする）。ＣＰＵ内に設けたメインメモリと第２メモリは、全てのメーカーの各種製品のサーチアドレスとコード及びメーカーをＡ〜Ｚの２６個の英文字で代表させたアドレスフラグを記録し、大量のデータを分類して個別に保存でき、サーチの速度を大幅に増加し、走査時間を短縮できる。
　２．本考案は液晶ディスプレイを付加させて、設定日時と時間を表示させ、且つ自動サーチ過程を表示させることができ、これにより使用者は操作中に随時現在どのモード及びコードであるかを知ることができ、並びに定時ロックが行なえ、また現在の時刻とこの製品のコードがなんであるかを確認することができる。
　３．本考案は時間設定装置で予め時間設定が行なえ、定時自動発射制御により設定した電化製品にオン或いはオフの動作電源信号を発生させることができる。これにより家に人がいないときに、リモートコントロールにより設定時間に電気製品にオン動作を行なわせ、設定時間が終わるとオフの動作を行なわせることで、主人が家にいるかのような状況を作り出すことができ、泥棒が室内に進入するのを防止できる。
【考案を実施するための最良の形態】
【０００７】
　図１及び図３に示されるように、本考案の応用する制御回路にはＣＰＵ１が設けられ、該ＣＰＵ１は複数の部分に分けられ、メインメモリ１１と少なくとも一つの第２メモリ１７を具え、該メインメモリ１１は全てのメーカーの各種製品のサーチアドレス及びコードを記録でき、該第２メモリ１７は全てのメーカーを２６個の英文字で代表させた異なるメーカーのアドレスフラグを記録でき、或いは該第２メモリ１７が少なくとも二つの記憶部１７２に分割されて、全てのメーカーを２６個の英文字で代表させた異なるメーカーのアドレスフラグが該第２メモリ１７の分割された各記憶部１７２に記録され、２６個の英文字がメーカーが構築するコード表を代表し、且つリモートコントローラー上の０〜１２の数字キー及びＣＨ＋，ＣＨ−，ＶＯＬ＋，ＶＯＬ−キー、或いは更に多くのキーを組み合わせて２６個の英文字を数字キーに割り当てることができる。例えば、メーカー名ＡＩＷＡであれば、その頭文字Ａは１の数字キーに割り当てられ、ＨＩＴＡＣＨのＨは８の数字キーに割り当てられている。図２のキー機能マトリックス対照表を参照されたい。各種製品類別及びアドレスのコード配列は完全で、これにより類別キーを押し更にメーカーアドレス数字キーを押せば、設定が完成する（図５は本考案のメーカーシングルコード直接設定フローチャートである。）。プログラム表メモリ１２は、メーカー製品が具備するキー機能を記録でき、並びに各キーに対応する機能のデータをロックできる。保存メモリのＥＥＰＲＯＭ１６は、メーカー製品にもともと設定されているコードに対応するキー機能を記録でき、電源が設定値より低い時、或いは電源が切断された後、電源供給状態に回復する時にもとのメーカー設定コード機能を保持でき、及びもとのメーカー製品に対応するキー機能を記録できる。計時計数及び時間設定装置１３は、続けてサーチ累計し、中断ロックされるまでこれを行なう。時間間隔制御レジスタ１４は、待機ロック間隔を１．５秒に制御する。サーチ中断制御装置１５は周波数が符合する時にサーチ動作を中断し、並びにロックする。また本考案はＣＰＵ１外の同一基板上に、少なくとも一つの第２メモリ１７１が設けられ、該第２メモリ１７１のピンがＣＰＵ１に接続され、第２メモリ１７１が全てのメーカーを２６個の英文字で代表させた異なるメーカーのアドレスフラグを記録するか、或いはＣＰＵ１外の同一基板上の第２メモリ１７１が分割されて少なくとも二つの記憶部１７１１とされて、全てのメーカーを２６個の英文字で代表させた異なるメーカーのアドレスフラグが第２メモリ１７を分割してなる各記憶部１７１１に記録される。さらに、本考案はＣＰＵ１中のメインメモリ１１を分割して少なくとも二つの第２メモリ１１１とすることができ、また、ＣＰＵ１のプログラム表メモリ１２（ＲＯＭ）を分割して少なくとも二つの第２メモリ１２１とすることができ、全てのメーカーを２６個の英文字で代表させた異なるメーカーのアドレスフラグを第２メモリ１１１、１２１中に記録することができる（図６及び図７に示されるとおり）。
【０００８】
　制御回路にはさらに指示ランプ駆動回路１６２と指示ランプ出力回路２及び信号発射出力装置２１が設けられ、制御パネル上の指示ランプの点滅を制御でき、並びに変調周波数コードサーチ信号を発射し、さらに電源発生器３が設けられてＣＰＵ１の必要な電圧値を提供し、制御回路に設置された振動発生器４はＣＰＵ１の時間計数の機能を提供する。
【０００９】
　図３に示されるように、本考案のリモートコントローラーを使用する時は、まずリモートコントローラーを制御したい電気製品（例えば、テレビジョン、ビデオ録画再生機、ＤＶＤプレイヤー、音響装置、クーラー、衛星放送用チューナー等）に向ける。第１種の操作方法は、図９及び図１０に示されるように、製品類別キーを押してＣＰＵ１に電源発生器３と振動発生器４の電源を提供し、自動クイックサーチを開始する。サーチ時にはメインメモリ１１内より各メーカーコードを取り出し並びに第２メモリ１７（フラグサブデータメモリ）内より各種製品各メーカーのアドレスデータを取り出し、並びに発射信号に変換する。信号発射出力装置２１が電気製品に向けてそれを発射する。電気製品に電源のオン或いはオフ反応がある時、即ち周波数が符合したことを表示し、サーチ動作を中断する。反応がない場合は、計時計数及び時間設定装置１３の累計機能により続けて次のデータを取り出して次の信号を発射する。第２メモリ１７（フラグサブデータメモリ）内には各種の異なるメーカーの電化製品周波数信号データが記録され、並びに変換して信号を発射するまで１秒であり、正確な周波数をサーチした時、時間間隔制御レジスタ１４が待機ロック間隔を約１．５秒に制御し、並びにサーチ中断制御装置１５が任意のキーが押されることで手動ロックし、ロック完成の後、プログラム表メモリ１２がこの特定メーカーに対応するキーマトリックス入出力６を取り出し、各キーに対応する機能設定を完成し、これは図２に示されるキーマトリックスの参考機能表の如しである。
【００１０】
　さらに、図３に示されるように、リモートコントローラーの制御回路中に液晶ディスプレイ５を付加する時、その操作方法は、電気製品の類別キーを押し、さらにリモートコントローラーを制御したい電気製品に向け、自動コードサーチキーを押すと、クイック自動コードサーチに進入し、使用者は操作中に随時現在どのモードにあるかを了解できる。自動サーチ過程で、その液晶ディスプレイ５は当時の製品の類別を表示し、例えばＴＶ及びコード数字は０００，００１，．．．０１０のように上向きに進む、電気製品に電源のオン或いはオフ反応がある時、即ち周波数が符合したことを表示し、この時、使用者が任意のキーを押せばロックでき、同時にこの製品のコードを見ることができる。液晶ディスプレイ５は数字を表示し、製品類別キーを選択して符合するものが出現する時、リモートコントローラーの全てのキーの機能は計算機機能に変更される（図６のＬＣＤ原理フローチャート参照）。
【００１１】
　本考案の操作原理の説明は以下のとおりである。
　まず、ＣＰＵ１にメインメモリ１１と少なくとも一つの第２メモリ１７が配列され、並びに２６個の英文字が代表するメーカーが構築したコード表が、リモートコントローラーの数字キーとＣＨ＋，ＣＨ−，ＶＯＬ＋，ＶＯＬ−キーの組み合わせを利用し（更に多くのキーの組合せ使用も可能である）、数字キーに割り当てられる。図２のキー機能マトリックス対照表を参照されたい。例えば、例えば、Ａを数字の１のキーに割り当て、ＨＩＴＣＨＩというメーカー名のＨは数字の８のキーに割り当て、他もこれにより類推されるようにする。この分類は１から２４種類のアドレスがあれば十分である（グローバル性によりメーカーの優先順序配列を設計する）。その操作方法は非常に簡単であり。例えば図９と図１０に示されるステップ１及びステップ２のようである。まず類別キー（例えばＴＶ或いはビデオ録画再生機ＶＣＲ）を押し、さらに８の数字キーを押すと、８の数字キーにはＨで始まるアドレスが割り当てられているため、ＨＩＴＡＣＨがメーカーの第１コードとなり、その後、キーを離すと設定が完成する。即ちもとのリモートコントローラーの代わりに使用できる。これから分かるように、全部で２０種類のアドレスを直接設定される。図４、図５のメーカーシングルコードクイック自動サーチ直接設定フローチャートを参照されたい。もしメーカーシングルコードを直接設定しても操作使用できない時は、さらにクイック自動サーチを行ない、その方法は図６及び図９に示されるように、ＴＶの類別キーを押したままにすると、指示ランプが１．５秒間点灯し、その後、１．５秒間滅灯した後、再度点灯し、この時に手をキーから離すと全自動サーチ状態に進入し、その全サーチ工程は非常に短い時間内に設定を完成でき、コードを探して更に三つの数字キーを入力するよりも更に速い。
【００１２】
　メーカーシングルコード直接設定方法は以下のとおりである。
　まず、キー機能マトリックス対照表より表内のメーカーアドレスと対照する（図２）。（例えばメーカー名がＡＩＷＡであればその頭文字がＡであるため、数字１のアドレスに割り当てられ、また、ＨＩＴＡＣＨであれば頭文字がＨであるため、数字８のアドレスに割り当てられ、他もこれから類推できるとおりである。これにより分類された約２０種類のアドレスは十分なものであり（グローバル優先順序配列設計とされる））その操作方法は非常に簡単である。まず、機能マトリックス類別キーを押す（例えばＴＶを押して、英文Ｈに対応する数字キー８を押し、ＨＩＴＡＣＨのコード０２２を押す）。この信号はプログラム表メモリ１２（ＲＯＭ）及び第２メモリ１７に送られ、対応する情報が取り出されメインメモリ１１に送られ、さらにこの信号が二つに分けられ、ＥＥＰＲＯＭ１６と指示ランプ駆動回路１６２に送られて指示ランプを点灯させる。その後、数字８キーを再度押し、キーを離せば設定が完成し、もとのリモートコントローラーの代わりに使用できる。（図７のメーカーシングルコード直接設定フロー及び図１０のステップ１及びステップ２を参照されたい。）
【００１３】
　定時自動発射原理は以下のとおりである。
　本考案のリモートコントローラーに電池を装着した後（リモートコントローラーの開始状態時間は１２：００である）、設定（類別）選択キーを押して液晶ディスプレイ５のスクリーンがフラッシュ開始した後にキーを離し、さらに機能マトリックス上の機能キー及び数字キーを組み合わせて使用し、電源キーを押した後、現在時間に合わせてから更に数字キーを押して最後の１字がちらつかなくなれば設定が完成する。
　午後３時にオンしたい時は、まず設定（類別）選択キーを押して液晶ディスプレイ５のスクリーンがフラッシュ開始した、電源キーを押してからさらに数字キーで１５：００を入力して最後の１文字がちらつかなくなった時に、もう一度予約キーを押せば設定が完成する。もし一時間だけオンした後にオフしたい時は、その設定ステップは、まず、設定（類別）選択キーを押して液晶ディスプレイのスクリーンの数字がフラッシュした時に、電源キーを押してから数字キーで１６：００を押して最後の１文字がちらつかなくなった時に、再度予約オフキーを押せば設定が完成する。（例えばテレビジョンの設定を行なう時は、本考案のリモートコントローラーをテレビジョンに対して上下３５度角度範囲及び７．５ｍ範囲内の位置とするのが有効であり、予約時間が来ると、本考案のリモートコントローラーが一次電源周波数信号をテレビジョンに向けて発射し、テレビジョンが信号を受信してオン動作を行なう。以上の定時自動発射機能は各種電気製品に応用できる。
【００１４】
　総合すると、本考案は全自動クイックアーチ、且つ多種類の特殊機能を具えたリモートコントローラーである。
【図面の簡単な説明】
【００１５】
【図１】本考案の制御回路図である。
【図２】本考案のキー機能マトリックス対照表である。
【図３】本考案の制御回路の機能配置図である。
【図４】本考案の実施フローチャートである。
【図５】本考案のメーカー単一コードの直接設定フローチャートである。
【図６】本考案のＣＰＵのメインメモリ（ＲＡＭ）を分割して少なくとも二つの第２メモリとする時の実施例フローブロック図である。
【図７】本考案のＣＰＵ中のプログラム表メモリ（ＲＯＭ）を分割して少なくとも二つの第２メモリとする時の実施例フローブロック図である。
【図８】本考案のＬＣＤ設定フローチャートである。
【図９】本考案のシングルキー自動コードサーチ時の説明図である。
【図１０】本考案のメーカー単一コード直接設定方式の説明図である。
【図１１】本考案の時間設定定時自動発射説明図である。
【符号の説明】
【００１６】
１　ＣＰＵ　　　　　　１１　メインメモリ
１１１、１２１、１７、１７１　第２メモリ
１２　プログラム表メモリ　　　　１２２　プログラム表計算
１２３　エンコーダデコーダ　　１３　計時計数及び時間設定装置
１４　時間間隔制御レジスタ　　１４１　信号時間振動発生器
１５　サーチ中断制御装置　　　１６　ＥＥＰＲＯＭ
１６１　保存連続ポート制御レジスタ　　１６２　指示ランプ駆動回路
１７１１、１７２　記憶部
２　指示ランプ出力回路　　　　２１　信号発射出力装置
３、１３１　電源発生器
４　振動発生器
５　液晶ディスプレイ
６　キーマトリックス入出力
【図１】
0003100479.tif 000003
【図２】
0003100479.tif 000004
【図３】
0003100479.tif 000005
【図４】
0003100479.tif 000006
【図５】
0003100479.tif 000007
【図６】
0003100479.tif 000008
【図７】
0003100479.tif 000009
【図８】
0003100479.tif 000010
【図９】
0003100479.tif 000011
【図１０】
0003100479.tif 000012
【図１１】
0003100479.tif 000013